(57)【要約】【課題】複数の基本仕切り体を用いて簡便に構築することができ、侵入を確実に防止することができる立入防止柵を提供する。【解決手段】防波堤１０１上を仕切るように設けられる防波堤の立入防止柵において、同一形状をなす略矩形の基本仕切り体２，２を複数並設すると共に、基本仕切り体２，２同士を連結したから、基本仕切り体２を共有化して使用し、設置する防波堤１０１の条件により、複数の基本仕切り体２，２を用いて立入防止柵１を簡便に構築することができる。また、基本仕切り体２の上部に、基本仕切り体２の一側から他側への乗り越えを防止する乗り越え防止手段２１を設けることにより、乗り越えを防止し、さらに、端部に設けた基本仕切り体２の端部に、侵入防止手段３１を設けることにより、他側への侵入を防止する。【選択図】図１
0003153297.tif 000002
【実用新案登録請求の範囲】
【請求項１】
防波堤上を仕切るように設けられる防波堤の立入防止柵において、同一形状をなす略矩形の基本仕切り体を複数並設すると共に、これら基本仕切り体同士を連結したことを特徴とする防波堤の立入防止柵。
【請求項２】
前記防波堤上の平坦部以外に設けられ前記基本仕切り体と形状の異なる異形仕切り体を備えることを特徴とする請求項１記載の防波堤の立入防止柵。
【請求項３】
前記基本仕切り体は、上部横桟と、下部横桟と、これら上部，下部横桟を連結する複数の縦杆とを備え、前記上部，下部横桟間には隣合う前記縦杆を連結する連結部材を備えないことを特徴とする請求項１又は２記載の防波堤の立入防止柵。
【請求項４】
前記基本仕切り体の上部に、前記基本仕切り体の一側から他側への乗り越えを防止する乗り越え防止手段を設けたことを特徴とする請求項１〜３のいずれか１項に記載の防波堤の立入防止柵。
【請求項５】
前記下部横桟に足掛け防止手段を設けたことを特徴とする請求項３記載の防波堤の立入防止柵。
【請求項６】
端部に設けた前記基本仕切り体の端部に、侵入防止手段を設けたことを特徴とする請求項１〜５のいずれか１項に記載の防波堤の立入防止柵。
【請求項７】
前記乗り越え防止手段が、横方向に離間して上方一側斜めに突出する複数の棒材であることを特徴とする請求項４記載の防波堤の立入防止柵。
【請求項８】
前記乗り越え防止手段が、遊転可能に設けられたローラであり、このローラの直径が１５０ｍｍ以上であることを特徴とする請求項４記載の防波堤の立入防止柵。
【請求項９】
前記侵入防止手段が、遊転可能に設けられたローラであり、このローラの直径が１５０ｍｍ以上であって、前記基本仕切り体の端部の幅より大きいことを特徴とする請求項６記載の防波堤の立入防止柵。
【請求項１０】
前記侵入防止手段を前記防波堤の外側に設け、前記侵入防止手段が、上部が連結された複数の補助縦杆を備え、これら複数の補助縦杆の下端が自由端であることを特徴とする請求項６記載の防波堤の立入防止柵。
【考案の詳細な説明】
【技術分野】
【０００１】
本考案は、防波堤の立入防止柵に関する。
【背景技術】
【０００２】
先端側が海に突出する防波堤は、港湾を津波などから防護するために設けられ、安全上などから立入防止柵を設けて先端側への立入りを防止する場合がある。そして、立入防止に用いられる防止柵として、支柱間に金網を張った防止柵（例えば特許文献１）や、単管を縦横に組んだ防止柵などが知られている。
【先行技術文献】
【特許文献】
【０００３】
【特許文献１】特開２００１−２７９６２５号公報
【考案の開示】
【考案が解決しようとする課題】
【０００４】
上記従来の防止柵では、金網を使って乗り越えたり、横方向の単管を足場にして乗り越えたりして、進入禁止の区域に立ち入る虞があった。また、設置する防波堤に合わせて防止柵を構築しなければならず、部材の汎用性に乏しい面があった。
【０００５】
そこで、本考案は、上記問題点を解決するものであり、複数の基本仕切り体を用いて簡便に構築することができる防波堤の立入防止柵を提供することを目的とし、また、侵入を確実に防止することができる防波堤の立入防止柵を提供することを目的とする。
【課題を解決するための手段】
【０００６】
請求項１の考案は、防波堤上を仕切るように設けられる防波堤の立入防止柵において、同一形状をなす略矩形の基本仕切り体を複数並設すると共に、これら基本仕切り体同士を連結したものである。
【０００７】
請求項２の考案は、前記防波堤上の平坦部以外に設けられ前記基本仕切り体と形状の異なる異形仕切り体を備えるものである。
【０００８】
請求項３の考案は、前記基本仕切り体は、上部横桟と、下部横桟と、これら上部，下部横桟を連結する複数の縦杆とを備え、前記上部，下部横桟間には隣合う前記縦杆を連結する連結部材を備えないものである。
【０００９】
請求項４の考案は、前記基本仕切り体の上部に、前記基本仕切り体の一側から他側への乗り越えを防止する乗り越え防止手段を設けたものである。
【００１０】
請求項５の考案は、前記下部横桟に足掛け防止手段を設けたものである。
【００１１】
請求項６の考案は、端部に設けた前記基本仕切り体の端部に、侵入防止手段を設けたものである。
【００１２】
請求項７の考案は、前記乗り越え防止手段が、横方向に離間して上方一側斜めに突出する複数の棒材である。
【００１３】
請求項８の考案は、前記乗り越え防止手段が、遊転可能に設けられたローラであり、このローラの直径が１５０ｍｍ以上である。
【００１４】
請求項９の考案は、前記侵入防止手段が、遊転可能に設けられたローラであり、このローラの直径が１５０ｍｍ以上であって、前記基本仕切り体の端部の幅より大きいものである。
【００１５】
請求項１０の考案は、前記侵入防止手段を前記防波堤の外側に設け、前記侵入防止手段が、上部が連結された複数の補助縦杆を備え、これら複数の補助縦杆の下端が自由端である。
【考案の効果】
【００１６】
請求項１の考案によれば、基本仕切り体を共有化して使用し、設置する防波堤の条件により、複数の基本仕切り体を現場で組み立てて立入防止柵を簡便に構築することができる。
【００１７】
請求項２の考案によれば、設置する防波堤が平坦部分だけでなく、斜面や段差などがある場合、これらに対応する箇所に異形仕切り体を用いて立入防止柵を構築することができる。
【００１８】
請求項３の考案によれば、前記上部，下部横桟間には隣合う前記縦杆を連結する連結部材を備えないため、上部，下部横桟間に足を掛ける箇所がなく、防止柵を登ることを防止できる。
【００１９】
請求項４の考案によれば、防止柵の乗り越えることを防止できる。
【００２０】
請求項５の考案によれば、下部横桟に足を掛けることができないから、防止柵を登り難くすることができる。
【００２１】
請求項６の考案によれば、防護柵の端部を伝わって反対側に侵入することを防止できる。
【００２２】
請求項７の考案によれば、複数の棒材が上方一側斜めに突出しているため、乗り越えることができなくなる。
【００２３】
請求項８の考案によれば、ローラの直径が１５０ｍｍ以上であるから、手が掛け難く、手を掛けてもローラが回転するため、ローラを使って乗り越えることができない。
【００２４】
請求項９の考案によれば、ローラの直径が１５０ｍｍ以上であるから、手が掛け難く、手を掛けてもローラが回転するため、ローラを使って他側に移動することができない。
【００２５】
請求項１０の考案によれば、侵入防止手段の下部に足を掛けるところがないため、足を掛けて他側に移動することができない。
【図面の簡単な説明】
【００２６】
【図１】実施例１を示す全体正面図である。
【図２】同上、全体平面図である。
【図３】同上、基本仕切り体の正面図である。
【図４】同上、下段面側の側面図である。
【図５】同上、上段面側の側面図である。
【図６】実施例２を示す乗り越え防止手段及び侵入防止手段の側面図である。
【図７】実施例３を示す侵入防止手段の正面図である。
【考案を実施するための形態】
【００２７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる防波堤の立入防止柵を採用することにより、従来にない防波堤の立入防止柵が得られ、その防波堤の立入防止柵について記述する。
【実施例１】
【００２８】
以下、本発明の実施例を添付図面を参照して説明する。
【００２９】
図１〜図５は本発明の実施例１を示し、同図に示すように、立入防止柵１は、河岸・海岸などの防波堤１０１の上に設けられ、この例では海岸から海に向って張り出す防波堤１０１に用いた例を説明する。尚、防波堤１０１はコンクリートなどからなる。
【００３０】
前記立入防止柵１は、略矩形の基本仕切り体２を複数組み立て、必要に応じて前記基本仕切り体２とは形状の異なる異形仕切り体３を用いる。前記基本仕切り体２は、横方向の上部横桟１１と、横方向の下部横桟１２と、これら上部，下部横桟１１，１２を連結する縦方向の複数の縦杆１３と、上部，下部横桟１１，１２の端部を連結する両側の縦桟１４，１４を備え、前記上部，下部横桟１１，１２間には隣合う縦杆１３，１３を連結する横桟などの連結部材を備えていない。したがって、基本仕切り体２の高さ方向中央には、足を掛けるところがない。尚、縦桟１４は、外側のアングル部材１４１と、内側の角材１４２とからなる。
【００３１】
前記防波堤１０１の上面には、斜面１０２が設けられ、この斜面１０２を挟んで、平坦部である幅方向一方の上段面１０３と他方の下段面１０４とを備え、それら上段面１０３と下段面１０４とは高さが異なり、前記斜面１０２に前記異形仕切り体３が設けられる。この異形仕切り体３は、上部横桟１１Ａと、この上部横桟１１Ａの一方の端部に連結した縦桟１４Ａと、前記上部横桟１１Ａの他方の端部と前記縦桟１４Ａの下部とを連結し前記斜面１０２に対応する斜め桟１５と、前記上部横桟１１Ａと斜め桟１５との間に設けられた縦杆１３Ａとを備え、略直角三角形の形状をなす。
【００３２】
また、前記立入防止柵１には、必要に応じて、開閉仕切り体４が設けられ、この開閉仕切り体４は、前記上部，下部横桟１１，１２と縦桟１４，１４の中に、片開き式の扉体１６を設け、この扉体１６は施錠手段１７により施錠と開錠が選択可能となっている。尚、扉体１６も複数の縦杆１３を備え、前記上部，下部横桟１１，１２の間において、隣合う縦杆１３，１３を連結する横桟などの連結部材を備えていない。
【００３３】
前記基本仕切り体２及び開閉仕切り体４の上部に、防波堤１０１の一側（海岸側）から他側（海側）への乗り越えを防止する乗り越え防止手段２１を備える。この乗り越え防止手段２１は、前記上部横桟１１の上部に、横方向に離間して上方一側斜めに突出する複数の棒材２２を設けてなり、棒材２２が手前側である一側斜めに向いているため、該棒材２２を掴って他側に乗り越すことを防止できる。尚、図４及び図５に示すように、棒材２２は垂直に対して略４５度の角度で設けられている。
【００３４】
そして、図１に示すように、斜面１０２に異形仕切り体３を配置し、前記下段面１０４上には、前記異形仕切り体３の隣に基本仕切り体２を並設し、それら両仕切り体２，３の縦桟１４，１４Ａをボルトナットなどの連結手段２３により連結し、その基本仕切り体２の隣に開閉仕切り体４を並設し、両仕切り体２，４の縦桟１４，１４を連結手段２３により連結し、その端部に位置する基本仕切り体２は、下段面１０４から外側に張り出して設けられている。
【００３５】
また、前記上段面１０３側には、上段面１０３上に基本仕切り体２を配置し、この基本仕切り体２の隣で、下段面１０３側の異形仕切り体３と隣の基本仕切り体２の上に、複数（２つ）の基本仕切り体２，２を並設し、さらに、上段面１０３上の基本仕切り体２の外側に、端部の基本仕切り体２を並設し、それら４つ並んだ基礎仕切り体２，２，２，２同士を前記連結手段２３により連結する。また、下段面１０４側の異形仕切り体３及びこの隣の基本仕切り体２と、これら上の上段面１０３側の基礎仕切り体２，２とは、上段面１０３側の下部横桟１２と下段側１０４側の上部横桟１１Ａ，１１とが、ボルトナットなどの連結部材２３Ａにより連結されている。尚、上段面１０３上の基本仕切り体２の外側の基本仕切り体（端部の基本仕切り体）２は、上段面１０４から外側に張り出して設けられている。
【００３６】
上記のように立入防止柵１の端部の基本仕切り体２は、防波堤１０１の外側に張り出し設けられている。
【００３７】
前記基本仕切り体２の下部横桟１４には、縦杆１３，１３の間及び縦杆１３と縦桟１４の間に、足掛け防止手段たる先鋭な爪体２４を突設して設けている。したがって、爪体２４により縦杆１３，１３などの間の下部横桟１４上に足を掛けることができない。
【００３８】
また、立入防止柵１の他側には、縦桟１４，１４Ａと防波堤１０１とに両端を固定した斜材２５が設けられ、これら斜材２５により立入防止柵１を支持している。また、基本仕切り体２と開閉仕切り体４の下部にはベース板２６を固定し、このベース板２６をアンカー２７により防波堤１０１に固定している。
【００３９】
さらに、前記端部の基本仕切り体２，２の端部に、侵入防止手段３１を設けている。この侵入防止手段３１は、前記縦桟１４に、縦方向に離間して横方向外側で一側斜めに突出する複数の棒材３２を設けてなり、この棒材３２が手前側である一側斜めに向いているため、他側への侵入を防止できる。
【００４０】
このように本実施例では、請求項１に対応して、防波堤１０１上を仕切るように設けられる防波堤の立入防止柵において、同一形状をなす略矩形の基本仕切り体２，２を複数並設すると共に、基本仕切り体２，２同士を連結したから、基本仕切り体２を共有化して使用し、設置する防波堤１０１の条件により、複数の基本仕切り体２，２を現場で組み立てて立入防止柵１を簡便に構築することができる。
【００４１】
このように本実施例では、請求項２に対応して、防波堤１０１上の平面部である上段面１０３及び下断面１０４以外に設けられ基本仕切り体２と形状の異なる異形仕切り体３を備えるから、設置する防波堤１０１が平坦部分だけでなく、斜面１０２や段差などがある場合、これらに対応する箇所に異形仕切り体２を用いて立入防止柵１を構築することができる。
【００４２】
このように本実施例では、請求項３に対応して、基本仕切り体２は、上部横桟１１と、下部横桟１２と、これら上部，下部横桟１１，１２を連結する複数の縦杆１３とを備え、上部，下部横桟１１，１２間には隣合う縦杆１３を連結する連結部材を備えないから、上部，下部横桟１１，１２間に足を掛ける箇所がなく、防止柵１を登ることを防止できる。
【００４３】
このように本実施例では、請求項４に対応して、基本仕切り体２の上部に、基本仕切り体２の一側から他側への乗り越えを防止する乗り越え防止手段２１を設けたから、防止柵１の乗り越えを防止できる。
【００４４】
このように本実施例では、請求項５に対応して、下部横桟１２に足掛け防止手段たる爪体２４を設けることにより、下部横桟１２に足を掛けることができないため、防止柵１が登り難くなる。
【００４５】
このように本実施例では、請求項６に対応して、端部に設けた基本仕切り体２の端部に、侵入防止手段３１を設けたから、防止柵１の端部を伝わって反対側（他側）に侵入することを防止できる。
【００４６】
このように本実施例では、請求項７に対応して、乗り越え防止手段２１が、横方向に離間して上方一側斜めに突出する複数の棒材２２であり、防止柵１を乗り越えることができなくなる。
【実施例２】
【００４７】
図６は本考案の実施例２を示し、上記実施例１と同一部分に同一符号を付し、その詳細な説明を省略して詳述すると、この例は乗り越え防止手段２１と侵入防止手段３１の変形例を示し、同図示すように、乗り越え防止手段２１の場合は、上部横桟１１上にローラ３３を遊転可能に設け、前記侵入防止手段３１の場合は、端部の基本仕切り体２の端部の縦桟１４に沿って前記ローラ３３を遊転可能に設ける。尚、前記上部横桟１１及び縦桟１４とローラ３３の外面との隙間は１０ｍｍ以下とすることが好ましい。
【００４８】
また、前記ローラ３３は回転中心３４を中心として遊転し、そのローラ３３の直径Ｄは、前記上部横桟１１及び縦桟１４の幅より大きく、例えば１５０ｍｍ以上、好ましくは３００ｍｍ以上である。これは直径Ｄが１５０ｍｍ以上であると、手で握ることが難しくなるからであり、３００ｍｍ以上であれば掴ることができないからである。
【００４９】
このように本実施例では、請求項８に対応して、乗り越え防止手段２１が、遊転可能に設けられたローラ３３であり、このローラ３３の直径Ｄが１５０ｍｍ以上であって、前記上部横桟１１の幅より大きいから、ローラ３３に手が掛け難く、手を掛けてもローラ３３が回転するため、ローラ３３を使って乗り越えることができない。
【００５０】
このように本実施例では、請求項９に対応して、侵入防止手段３１が、遊転可能に設けられたローラ３３であり、このローラ３３の直径が１５０ｍｍ以上であって、基本仕切り体２の端部の幅より大きいから、ローラ３３に手が掛け難く、手を掛けてもローラ３３が回転するため、ローラ３３を使って他側に移動することができない。
【実施例３】
【００５１】
図７は本考案の実施例３を示し、上記各実施例と同一部分に同一符号を付し、その詳細な説明を省略して詳述すると、この例は侵入防止手段３１の変形例であり、同図に示すように、端部の基本仕切り体２の端部の縦桟１４に、この例の侵入防止手段３１が取り付けられており、この侵入防止手段３１は、上部横桟１１Ｂを外側向って低くなるように設け、前記上部横桟１１Ｂに間隔を置いて複数の補助縦杆１３Ｂを垂設し、縦杆１３，１３同士の下端は連結せずに自由端にしている。
【００５２】
したがって、この例の侵入防止手段３１の下部には足を掛ける部分がなく、また、上部横桟１１Ｂは外側に向って低くなるので、心理的に上部横桟１１Ｂにぶら下がり難くなる。
【００５３】
このように本実施例では、請求項１０に対応して、侵入防止手段３１を防波堤１０１の外側に設け、侵入防止手段３１が、上部が連結された複数の補助縦杆１３Ｂを備え、これら複数の補助縦杆１３Ｂの下端が自由端であるから、侵入防止手段３１の下部に足を掛けるところがないため、足を掛けて他側に移動することができない。
【００５４】
尚、本発明は、本実施例に限定されるものではなく、本発明の要旨の範囲内で種々の変形実施が可能である。例えば基本仕切り体同士は、下段面に示したように、間に開閉仕切り体などを介在して連結してもよい。
【符号の説明】
【００５５】
１  立入防止柵
２  基本仕切り体
３  異形仕切り体
１１  上部横桟
１２  下部横桟
１３  縦杆
２１  乗り越え防止手段
２２  棒体
２４  爪体（足掛け防止手段）
３１  侵入防止手段
３２  棒体
１０１  防波堤
１０２  斜面
１０３  上段面
１０４  下段面
Ｄ  直径
【図１】
0003153297.tif 000003
【図２】
0003153297.tif 000004
【図３】
0003153297.tif 000005
【図４】
0003153297.tif 000006
【図５】
0003153297.tif 000007
【図６】
0003153297.tif 000008
【図７】
0003153297.tif 000009
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
防波堤上を仕切るように設けられる防波堤の立入防止柵において、同一形状をなす略矩形の基本仕切り体を複数並設すると共に、これら基本仕切り体同士を連結したことを特徴とする防波堤の立入防止柵。
【請求項２】
前記防波堤上の平坦部以外に設けられ前記基本仕切り体と形状の異なる異形仕切り体を備えることを特徴とする請求項１記載の防波堤の立入防止柵。
【請求項３】
前記基本仕切り体は、上部横桟と、下部横桟と、これら上部，下部横桟を連結する複数の縦杆とを備え、前記上部，下部横桟間には隣合う前記縦杆を連結する連結部材を備えないことを特徴とする請求項１又は２記載の防波堤の立入防止柵。
【請求項４】
前記基本仕切り体の上部に、前記基本仕切り体の一側から他側への乗り越えを防止する乗り越え防止手段を設け、前記乗り越え防止手段が、横方向に離間して上方一側斜めに突出する複数の棒材であることを特徴とする請求項１〜３のいずれか１項に記載の防波堤の立入防止柵。
【請求項５】
前記下部横桟に足掛け防止手段を設け、前記足掛け防止手段が、突設して設けられた爪体であることを特徴とする請求項３記載の防波堤の立入防止柵。
【請求項６】
端部に設けた前記基本仕切り体の端部に、侵入防止手段を設け、前記侵入防止手段が、遊転可能に設けられたローラであり、このローラの直径が１５０ｍｍ以上であって、前記基本仕切り体の端部の幅より大きいことを特徴とする請求項１〜５のいずれか１項に記載の防波堤の立入防止柵。
【請求項７】
前記ローラの直径が３００ｍｍ以上であることを特徴とする請求項６項に記載の防波堤の立入防止柵。
【請求項８】
前記基本仕切り体の上部に、前記基本仕切り体の一側から他側への乗り越えを防止する乗り越え防止手段を設け、前記乗り越え防止手段が、遊転可能に設けられたローラであり、このローラの直径が１５０ｍｍ以上であることを特徴とする請求項１〜３のいずれか１項に記載の防波堤の立入防止柵。
【請求項９】
前記ローラの直径が３００ｍｍ以上であることを特徴とする請求項８項に記載の防波堤の立入防止柵。
【請求項１０】
端部に設けた前記基本仕切り体の端部に、侵入防止手段を設け、前記侵入防止手段を前記防波堤の外側に設け、前記侵入防止手段が、上部が連結された複数の補助縦杆を備え、これら複数の補助縦杆の下端が自由端であることを特徴とする請求項６記載の防波堤の立入防止柵。